(57)【要約】【課題】  部品の共通化を図る。【解決手段】  所定の方向へ動作されてレンズ群を透過された光の量をそれぞれ調整するシャッター羽根５９、６０及びフィルター羽根６１と、シャッター羽根の駆動用の第１のマグネット６８、第１のコア６６及び第１のコイル６７と、フィルター羽根の駆動用の第２のマグネット７２、第２のコア７０及び第２のコイル７１とを設け、フィルター羽根にレンズ群を透過された光の量を制御して調整する制御部６２ａを設け、フィルター羽根における制御部以外の部分に少なくとも一つの孔６１ｃ又は切欠を形成した。【選択図】        図１４
2008176062.tif 000002
【特許請求の範囲】
【請求項１】
所定の方向へ動作されてレンズ群を透過された光の量をそれぞれ調整するシャッター羽根及びフィルター羽根と、シャッター羽根の駆動用の第１のマグネット、第１のコア及び第１のコイルと、フィルター羽根の駆動用の第２のマグネット、第２のコア及び第２のコイルとを備えた光量調整装置であって、
フィルター羽根にレンズ群を透過された光の量を制御して調整する制御部を設け、
フィルター羽根における制御部以外の部分に少なくとも一つの孔又は切欠を形成した
ことを特徴とする光量調整装置。
【請求項２】
第２のマグネットを円板状に形成して周方向へ回転可能とし、
フィルター羽根を回動させて光の量を調整するように構成し、
第２のマグネットの回転に伴って回転されると共にフィルター羽根に連結される駆動ピンを有しフィルター羽根を回動させる駆動アームを設け、
フィルター羽根が回動する平面上において第２のマグネットの回転中心と駆動ピンを結ぶ線分に対して直交する線分より、フィルター羽根の回動範囲の全範囲において、駆動ピンを挟んで第２のマグネットの回転中心の反対側にフィルター羽根の回動中心を位置させるようにした
ことを特徴とする請求項１に記載の光量調整装置。
【請求項３】
内部に所定のレンズ群が配置されたレンズ鏡筒と該レンズ鏡筒を支持する装置本体とを備え、レンズ鏡筒にレンズ群を介して取り込まれる光の量を調整する光量調整装置が組み込まれた撮像装置であって、
光量調整装置に、第１のマグネットと第１のコアと第１のコイルを有する第１のアクチュエーターによって所定の方向へ動作されてレンズ群を透過された光の量を調整するシャッター羽根と、第２のマグネットと第２のコアと第２のコイルを有する第２のアクチュエーターによって所定の方向へ動作されてレンズ群を透過された光の量を調整するフィルター羽根とを設け、
フィルター羽根にレンズ群を透過された光の量を制御して調整する制御部を設け、
フィルター羽根における制御部以外の部分に少なくとも一つの孔又は切欠を形成した
ことを特徴とする撮像装置。
【請求項４】
所定の方向へ動作されてレンズ群を透過された光の量をそれぞれ調整するシャッター羽根及びフィルター羽根と、シャッター羽根の駆動用の第１のマグネット、第１のコア及び第１のコイルと、フィルター羽根の駆動用の第２のマグネット、第２のコア及び第２のコイルとを備えた光量調整装置であって、
第２のマグネットを円板状に形成して周方向へ回転可能とし、
フィルター羽根を回動させて光の量を調整するように構成し、
第２のマグネットの回転に伴って回転されると共にフィルター羽根に連結される駆動ピンを有しフィルター羽根を回動させる駆動アームを設け、
フィルター羽根が回動する平面上において第２のマグネットの回転中心と駆動ピンを結ぶ線分に対して直交する線分より、フィルター羽根の回動範囲の全範囲において、駆動ピンを挟んで第２のマグネットの回転中心の反対側にフィルター羽根の回動中心を位置させるようにした
ことを特徴とする光量調整装置。
【請求項５】
フィルター羽根にレンズ群を透過された光の量を制御して調整する制御部を設け、
フィルター羽根における制御部以外の部分に少なくとも一つの孔又は切欠を形成した
ことを特徴とする請求項４に記載の光量調整装置。
【請求項６】
内部に所定のレンズ群が配置されたレンズ鏡筒と該レンズ鏡筒を支持する装置本体とを備え、レンズ鏡筒にレンズ群を介して取り込まれる光の量を調整する光量調整装置が組み込まれた撮像装置であって、
光量調整装置に、
第１のマグネットと第１のコアと第１のコイルを有する第１のアクチュエーターによって所定の方向へ動作されてレンズ群を透過された光の量を調整するシャッター羽根と、
第２のマグネットと第２のコアと第２のコイルを有する第２のアクチュエーターによって所定の方向へ動作されてレンズ群を透過された光の量を調整するフィルター羽根とを設け、
第２のマグネットを円板状に形成して周方向へ回転可能とし、
フィルター羽根を回動させて光の量を調整するように構成し、
第２のマグネットの回転に伴って回転されると共にフィルター羽根に連結される駆動ピンを有しフィルター羽根を回動させる駆動アームを設け、
フィルター羽根が回動する平面上において第２のマグネットの回転中心と駆動ピンを結ぶ線分に対して直交する線分より、フィルター羽根の回動範囲の全範囲において、駆動ピンを挟んで第２のマグネットの回転中心の反対側にフィルター羽根の回動中心を位置させるようにした
ことを特徴とする撮像装置。
【発明の詳細な説明】
【技術分野】
【０００１】
本発明は光量調整装置及び撮像装置についての技術分野に関する。詳しくは、フィルター羽根の形状や他の部材との位置関係を工夫して部品の共通化を図る技術分野に関する。
【背景技術】
【０００２】
ビデオカメラやスチルカメラ等の撮像装置には、レンズ群を介して取り込まれた光の量を調整する光量調整装置が設けられている。
【０００３】
このような光量調整装置には、光量調整部材としてシャッター羽根やフィルター羽根、例えば、ＮＤ（Neutral Density）フィルターがベース体に回動自在に支持され、これらの光量調整部材がマグネット、コイル及び一対の対峙部を有するコアを備えたアクチュエーター（電磁石）によって回動されて光量が調整されるようにしたものがある（例えば、特許文献１参照）。
【０００４】
【特許文献１】特開２００４−９５７０３号公報
【発明の開示】
【発明が解決しようとする課題】
【０００５】
ところで、光量調整装置にあっては、コイルへの非通電時に、コアによってマグネットを回転方向における一方の側又は他方の側へ吸引してシャッター羽根及びフィルター羽根を入射される光の制限を行わない開放位置又は光の制限を行う閉塞位置に保持するようにしたものがある。
【０００６】
このような保持方法においては、円板状のマグネットの外周面とコアの一部を対向させてマグネットを吸引することが行われるが、マグネットとコアの対向角、即ち、マグネットの外周面に対してコアが対向する部分に相当するマグネットの中心角が小さいほどコアのマグネットに対する保持力が大きくなる。従って、マグネットの回転に応じて回動されるシャッター羽根及びフィルター羽根を非通電時に開放位置に保持する力は、上記した対向角が小さいほど大きくなる。
【０００７】
ところが、シャッター羽根の駆動に関しては、シャッター羽根に対する非通電時における保持力が大きいと、シャッター羽根の起動時における電力が大きくなったり、シャッタースピードが遅くなってしまうと言う不具合を生じてしまうため、保持力を小さくすることが望ましい。
【０００８】
一方、フィルター羽根の駆動に関しては、フィルター羽根が比較的厚みが厚く重量が大きいため、フィルター羽根に対する非通電時における保持状態の安定化を図る観点から、保持力を大きくする必要がある。
【０００９】
このように、シャッター羽根に関しては非通電時における保持力を弱め、フィルター羽根に関しては非通電時における保持力を高める設計を行うと、シャッター羽根の駆動用のアクチュエーターとフィルター羽根の駆動用のアクチュエーターにおいてコア及びマグネットに関して部品の共通化を図ることができず、その分、製造コストの高騰や組立性の悪化という不都合を生じてしまう。
【００１０】
そこで、本発明光量調整装置及び撮像装置は、上記した問題点を克服し、部品の共通化を図ることを課題とする。
【課題を解決するための手段】
【００１１】
本発明光量調整装置及び撮像装置は、上記した課題を解決するために、所定の方向へ動作されてレンズ群を透過された光の量をそれぞれ調整するシャッター羽根及びフィルター羽根と、シャッター羽根の駆動用の第１のマグネット、第１のコア及び第１のコイルと、フィルター羽根の駆動用の第２のマグネット、第２のコア及び第２のコイルとを設け、フィルター羽根にレンズ群を透過された光の量を制御して調整する制御部を設け、フィルター羽根における制御部以外の部分に少なくとも一つの孔又は切欠を形成したものである。
【００１２】
従って、本発明光量調整装置及び撮像装置にあっては、フィルター羽根が軽量となる。
【００１３】
別の本発明光量調整装置及び撮像装置は、上記した課題を解決するために、所定の方向へ動作されてレンズ群を透過された光の量をそれぞれ調整するシャッター羽根及びフィルター羽根と、シャッター羽根の駆動用の第１のマグネット、第１のコア及び第１のコイルと、フィルター羽根の駆動用の第２のマグネット、第２のコア及び第２のコイルとを設け、第２のマグネットを円板状に形成して周方向へ回転可能とし、フィルター羽根を回動させて光の量を調整するように構成し、第２のマグネットの回転に伴って回転されると共にフィルター羽根に連結される駆動ピンを有しフィルター羽根を回動させる駆動アームを設け、フィルター羽根が回動する平面上において第２のマグネットの回転中心と駆動ピンを結ぶ線分に対して直交する線分より、フィルター羽根の回動範囲の全範囲において、駆動ピンを挟んで第２のマグネットの回転中心の反対側にフィルター羽根の回動中心を位置させるようにしたものである。
【００１４】
従って、本発明光量調整装置及び撮像装置にあっては、フィルター羽根に回動力が付与されたときにマグネットに作用する回転力が小さい。
【発明の効果】
【００１５】
本発明光量調整装置は、所定の方向へ動作されてレンズ群を透過された光の量をそれぞれ調整するシャッター羽根及びフィルター羽根と、シャッター羽根の駆動用の第１のマグネット、第１のコア及び第１のコイルと、フィルター羽根の駆動用の第２のマグネット、第２のコア及び第２のコイルとを備えた光量調整装置であって、フィルター羽根にレンズ群を透過された光の量を制御して調整する制御部を設け、フィルター羽根における制御部以外の部分に少なくとも一つの孔又は切欠を形成したことを特徴とする。
【００１６】
従って、フィルター羽根の軽量化により非通電時におけるフィルター羽根に対する保持力を低減することができ、シャッター羽根を動作させる駆動手段とフィルター羽根を動作させる駆動手段の部品の共通化を図ることができ、その分、製造コストの低減及び組立性の向上を図ることができる。
【００１７】
請求項２に記載した発明にあっては、第２のマグネットを円板状に形成して周方向へ回転可能とし、フィルター羽根を回動させて光の量を調整するように構成し、第２のマグネットの回転に伴って回転されると共にフィルター羽根に連結される駆動ピンを有しフィルター羽根を回動させる駆動アームを設け、フィルター羽根が回動する平面上において第２のマグネットの回転中心と駆動ピンを結ぶ線分に対して直交する線分より、フィルター羽根の回動範囲の全範囲において、駆動ピンを挟んで第２のマグネットの回転中心の反対側にフィルター羽根の回動中心を位置させるようにしたので、非通電時におけるフィルター羽根に対する保持力を低減することができる。
【００１８】
本発明撮像装置は、内部に所定のレンズ群が配置されたレンズ鏡筒と該レンズ鏡筒を支持する装置本体とを備え、レンズ鏡筒にレンズ群を介して取り込まれる光の量を調整する光量調整装置が組み込まれた撮像装置であって、光量調整装置に、第１のマグネットと第１のコアと第１のコイルを有する第１のアクチュエーターによって所定の方向へ動作されてレンズ群を透過された光の量を調整するシャッター羽根と、第２のマグネットと第２のコアと第２のコイルを有する第２のアクチュエーターによって所定の方向へ動作されてレンズ群を透過された光の量を調整するフィルター羽根とを設け、フィルター羽根にレンズ群を透過された光の量を制御して調整する制御部を設け、フィルター羽根における制御部以外の部分に少なくとも一つの孔又は切欠を形成したことを特徴とする。
【００１９】
従って、フィルター羽根の軽量化により非通電時におけるフィルター羽根に対する保持力を低減することができ、シャッター羽根を動作させる駆動手段とフィルター羽根を動作させる駆動手段の部品の共通化を図ることができ、その分、製造コストの低減及び組立性の向上を図ることができる。
【００２０】
別の本発明光量調整装置は、所定の方向へ動作されてレンズ群を透過された光の量をそれぞれ調整するシャッター羽根及びフィルター羽根と、シャッター羽根の駆動用の第１のマグネット、第１のコア及び第１のコイルと、フィルター羽根の駆動用の第２のマグネット、第２のコア及び第２のコイルとを備えた光量調整装置であって、第２のマグネットを円板状に形成して周方向へ回転可能とし、フィルター羽根を回動させて光の量を調整するように構成し、第２のマグネットの回転に伴って回転されると共にフィルター羽根に連結される駆動ピンを有しフィルター羽根を回動させる駆動アームを設け、フィルター羽根が回動する平面上において第２のマグネットの回転中心と駆動ピンを結ぶ線分に対して直交する線分より、フィルター羽根の回動範囲の全範囲において、駆動ピンを挟んで第２のマグネットの回転中心の反対側にフィルター羽根の回動中心を位置させるようにしたことを特徴とする。
【００２１】
従って、非通電時におけるフィルター羽根に対する保持力を低減することができ、シャッター羽根を動作させる駆動手段とフィルター羽根を動作させる駆動手段の部品の共通化を図ることができ、その分、製造コストの低減及び組立性の向上を図ることができる。
【００２２】
請求項５に記載した発明にあっては、フィルター羽根にレンズ群を透過された光の量を制御して調整する制御部を設け、フィルター羽根における制御部以外の部分に少なくとも一つの孔又は切欠を形成したので、フィルター羽根の軽量化により非通電時におけるフィルター羽根に対する保持力を低減することができる。
【００２３】
別の本発明撮像装置は、内部に所定のレンズ群が配置されたレンズ鏡筒と該レンズ鏡筒を支持する装置本体とを備え、レンズ鏡筒にレンズ群を介して取り込まれる光の量を調整する光量調整装置が組み込まれた撮像装置であって、光量調整装置に、第１のマグネットと第１のコアと第１のコイルを有する第１のアクチュエーターによって所定の方向へ動作されてレンズ群を透過された光の量を調整するシャッター羽根と、第２のマグネットと第２のコアと第２のコイルを有する第２のアクチュエーターによって所定の方向へ動作されてレンズ群を透過された光の量を調整するフィルター羽根とを設け、第２のマグネットを円板状に形成して周方向へ回転可能とし、フィルター羽根を回動させて光の量を調整するように構成し、第２のマグネットの回転に伴って回転されると共にフィルター羽根に連結される駆動ピンを有しフィルター羽根を回動させる駆動アームを設け、フィルター羽根が回動する平面上において第２のマグネットの回転中心と駆動ピンを結ぶ線分に対して直交する線分より、フィルター羽根の回動範囲の全範囲において、駆動ピンを挟んで第２のマグネットの回転中心の反対側にフィルター羽根の回動中心を位置させるようにしたことを特徴とする。
【００２４】
従って、非通電時におけるフィルター羽根に対する保持力を低減することができ、シャッター羽根を動作させる駆動手段とフィルター羽根を動作させる駆動手段の部品の共通化を図ることができ、その分、製造コストの低減及び組立性の向上を図ることができる。
【発明を実施するための最良の形態】
【００２５】
以下に、本発明を実施するための最良の形態を添付図面に従って説明する。
【００２６】
以下に示した最良の形態は、本発明をスチルカメラに適用したものである。尚、本発明の適用範囲はスチルカメラに限られることはなく、例えば、ビデオカメラや他の機器に組み込まれた各種の撮像装置に広く適用することができる。
【００２７】
以下の説明にあっては、スチルカメラの撮影時において撮影者から見た方向で前後上下左右の方向を示すものとする。従って、被写体側が前方となり、撮影者側が後方となる。
【００２８】
尚、以下に示す前後上下左右の方向は説明の便宜上のものであり、本発明の実施に関しては、これらの方向に限定されることはない。
【００２９】
撮像装置１は、図１及び図２に示すように、装置本体２と該装置本体２に前後方向（光軸方向）へ移動自在に支持されたレンズ鏡筒３とを備え、非撮影時等にレンズ鏡筒３が装置本体２に収納され（図１参照）、撮影時等にレンズ鏡筒３が装置本体２から前方へ突出される（図２参照）所謂沈胴式のレンズ鏡筒３を備えた撮像装置である。
【００３０】
このような沈胴式のレンズ鏡筒３を備えることにより、非撮影時における小型化（薄型化）と撮影時における良好な光学性能の確保とを両立させることができる。
【００３１】
装置本体２は、例えば、横長の扁平な筐体４の内外に所要の各部が配置されて成る（図１乃至図３参照）。
【００３２】
装置本体２の前面にはフラッシュ５とファインダー窓６が設けられている。装置本体２の上面にはシャッター釦７、モード切替ダイヤル８及び電源釦９が設けられている。装置本体２の側面（右側面）にはバッテリーカバー１０が設けられ、該バッテリーカバー１０を開閉することにより装置本体２に対する図示しないバッテリーの出し入れが可能とされる。装置本体２の後面にはファインダー１１、ズームスイッチ１２、表示画面１３、操作釦１４、１４、・・・及び端子カバー１５が設けられている。端子カバー１５の内側には図示しない電源端子や入出力端子等が設けられている。
【００３３】
レンズ鏡筒３は、図４乃至図６に示すように、固定部材１６と該固定部材１６に固定された固定環１７と該固定環１７に回転自在に支持されたカム筒１８と該カム筒１８に前後方向（光軸方向）へ移動自在に支持された第１の可動ユニット１９とを備えている。
【００３４】
固定部材１６は、前後方向を向く略板状に形成された基板部２０と、該基板部２０の下端部から前方へ突出された取付用突部２１とを有している。
【００３５】
基板部２０には案内軸２２が取り付けられる。
【００３６】
取付用突部２１にはフォーカスモーターユニット２３が取り付けられる。フォーカスモーターユニット２３によってフォーカス移動ユニット２４が前後方向、即ち、光軸方向へ移動される。フォーカス移動ユニット２４は保持アーム２５にフォーカスレンズ群２６が取り付けられて成る。
【００３７】
フォーカスモーターユニット２３の駆動によりフォーカス移動ユニット２４が案内軸２２に案内されて光軸方向へ移動される。
【００３８】
固定部材１６には後方から撮像ユニット２７が取り付けられる（図４参照）。撮像ユニット２７は保持枠部材２８と該保持枠部材２８に保持された撮像素子２９、例えば、ＣＣＤ（Charge Coupled Device）とを有している。撮像ユニット２７は保持枠部材２８が固定部材１６に取り付けられる。
【００３９】
固定部材１６には前側から固定環１７が取り付けられる（図４及び図５参照）。固定環１７は略円筒状に形成された円筒状基部３０と該円筒状基部３０の右端側の下端部から突出されたユニット押さえ部３１と円筒状基部３０の左端側の下端部から突出されたケース取付部３２とを有している。
【００４０】
円筒状基部３０にはケース取付部３２に対応する位置に図示しないギヤ配置孔が形成されている。
【００４１】
固定環１７が固定部材１６に取り付けられた状態において、ユニット押さえ部３１によって案内軸２２及びフォーカスモーターユニット２３が前方から押さえられる。
【００４２】
固定環１７が固定部材１６に取り付けられた状態において、ケース取付部３２と固定部材１６の間で軸方向に長い伝達ギヤ３３が回転自在に支持される。伝達ギヤ３３は円筒状基部３０に形成されたギヤ配置孔に配置される。
【００４３】
固定環１７のケース取付部３２にはケース体３４が取り付けられる。
【００４４】
ケース体３４の内部にはモーター３５が取り付けられている（図４参照）。ケース体３４の内部には図示しない伝達ギヤ群が配置され、該伝達ギヤ群は伝達ギヤ３３に噛合されている。モーター３５が起動されると、伝達ギヤ群を介して駆動力が伝達ギヤ３３に伝達される。
【００４５】
ケース体３４は取付用板バネ３６によって固定環１７と固定部材１６に取り付けられる。
【００４６】
カム筒１８は固定環１７に前後方向へ移動自在かつ周方向に回転自在に支持される（図４及び図６参照）。
【００４７】
カム筒１８は略円環状に形成され、外周面における後端部の一部にラックギヤ１８ａを有している。
【００４８】
カム筒１８は固定環１７に前後方向へ移動自在かつ周方向へ回転自在に支持される。
【００４９】
カム筒１８が固定環１７に支持された状態においては、ラックギヤ１８ａが固定部材１６と固定環１７の間で回転自在に支持された伝達ギヤ３３に噛合される。従って、ケース体３４に保持されたモーター３５が回転されると、その駆動力が伝達ギヤ群及び伝達ギヤ３３を介してラックギヤ１８ａに伝達され、モーター３５の回転方向に応じた方向へカム筒１８が回転され、固定環１７に対して回転しながら前後方向へ移動又は回転される。
【００５０】
固定環１７には直進ガイド３７が前後方向へ移動自在に支持される。直進ガイド３７は環状部３８と該環状部３８から前方へ突出されたガイド突部３９、３９、３９とが一体に形成されて成る。
【００５１】
直進ガイド３７は固定環１７に前後方向へ移動自在に支持されると共にカム筒１８に対して回転可能とされる。
【００５２】
固定環１７の前半部には飾りリング４０が取り付けられる（図４及び図６参照）。
【００５３】
カム筒１８には第２の可動ユニット４１が支持される（図６参照）。第２の可動ユニット４１は中間可動ユニット４２と該中間可動ユニット４２に取り付けられた光量調整装置４３とから成る（図７参照）。
【００５４】
中間可動ユニット４２はベース枠４４に所要の各部材が支持又は取り付けられて成る。
【００５５】
ベース枠４４は円板部４５と該円板部４５の外周部に設けられた被支持面部４６とを有している。
【００５６】
円板部４５の中央部には前後に貫通された透過用開口４５ａが形成されている。
【００５７】
ベース枠４４の前面側には第１の補正用移動枠４７が左右方向へ移動自在に支持され、該第１の補正用移動枠４７には第２の補正用移動枠４８が上下方向へ移動自在に支持されている。第２の補正用移動枠４８にはレンズ群４８ａが取り付けられている。
【００５８】
第２の補正用移動枠４８の前面には回路基板４９が取り付けられている。
【００５９】
上記したように、ベース枠４４に第１の補正用移動枠４７が支持され、該第１の補正用移動枠４７に第２の補正用移動枠４８が支持され、該第２の補正用移動枠４８に回路基板４９が取り付けられた状態において、ベース枠４４の前面に外コア５０が取り付けられて中間可動ユニット４２が構成される。
【００６０】
中間可動ユニット４２の後面側には光量調整装置４３が取り付けられ、両者によって第２の可動ユニット４１が構成される（図７及び図８参照）。
【００６１】
第２の可動ユニット４１は、直進ガイド３７のガイド突部３９、３９、３９に前後方向へ移動自在に支持されると共にカム筒１８に摺動自在に支持される。従って、第２の可動ユニット４１はカム筒１８の回転により直進ガイド３７に案内されて前後方向（光軸方向）へ移動される。
【００６２】
光量調整装置４３はベース枠４４の後面側に取り付けられる（図７及び図８参照）。
【００６３】
光量調整装置４３はベース体５１に所要の各部材が支持又は取り付けられて成る（図７乃至図１０参照）。
【００６４】
ベース体５１は略円環状に形成され、図１１に示すように、前面側の外周部５２を除いた部分に前方に開口された浅い装着用凹部５３を有している。ベース体５１は装着用凹部５３が形成された部分の厚みが外周部５２の厚みより薄く形成されている。
【００６５】
装着用凹部５３には大きな透孔５３ａが形成されている。装着用凹部５３には、透孔５３ａの周囲の位置に、前方へ突出されたフィルター用回動中心軸５３ｂ、それぞれ前方へ突出されたシャッター用回動中心軸５３ｃ、５３ｄが設けられている。装着用凹部５３にはそれぞれ前後に貫通された円弧状の挿通孔５３ｅ、５３ｆが形成されている。
【００６６】
フィルター用回動中心軸５３ｂとシャッター用回動中心軸５３ｃ、５３ｄは、透孔５３ａを挟んだ略反対側に位置され、シャッター用回動中心軸５３ｃ、５３ｄは周方向において離隔して位置され、挿通孔５３ｅはフィルター用回動中心軸５３ｂの近傍に位置され、挿通孔５３ｆはシャッター用回動中心軸５３ｃ、５３ｄの間に位置されている。
【００６７】
ベース体５１の前面側にはカバー板５４、第１のセパレーター５５及び第２のセパレーター５６が取り付けられる（図９及び図１０参照）。
【００６８】
カバー板５４は、例えば、金属材料によって形成され、前後方向を向く覆い部５７と該覆い部５７の外周部からそれぞれ後方へ突出された被取付用突片５８、５８、５８とから成る。
【００６９】
覆い部５７の中央部にはベース体５１の透孔５３ａより小さな光透過孔５７ａが形成されている。覆い部５７には後方へ打ち出されることにより形成された第１の摺動突部５７ｂ、５７ｂと第２の摺動突部５７ｃ、５７ｃが設けられている（図９及び図１２参照）。
【００７０】
覆い部５７の外周部には、軸挿入孔５７ｄ、５７ｅ、５７ｆとそれぞれ円弧状に形成された挿通孔５７ｇ、５７ｈが形成されている。軸挿入孔５７ｄと軸挿入孔５７ｅ、５７ｆは、光透過孔５７ａを挟んだ略反対側に位置され、軸挿入孔５７ｅ、５７ｆは周方向において離隔して位置され、挿通孔５７ｇは軸挿入孔５７ｄの近傍に位置され、挿通孔５７ｈは軸挿入孔５７ｅ、５７ｆ間に位置されている。
【００７１】
第１のセパレーター５５は、図９に示すように、中央部にカバー板５４の光透過孔５７ａと略同じ大きさに形成された透過孔５５ａを有している。第１のセパレーター５５の外周部には、軸挿入孔５５ｂ、５５ｃ、５５ｄとそれぞれ円弧状に形成された挿通孔５５ｅ、５５ｆが形成されている。軸挿入孔５５ｂと軸挿入孔５５ｃ、５５ｄは、透過孔５５ａを挟んだ略反対側に位置され、軸挿入孔５５ｃ、５５ｄは周方向において離隔して位置され、挿通孔５５ｅは軸挿入孔５５ｂの近傍に位置され、挿通孔５５ｆは軸挿入孔５５ｃ、５５ｄ間に位置されている。
【００７２】
第２のセパレーター５６は、中央部にカバー板５４の光透過孔５７ａと略同じ大きさに形成された透過孔５６ａを有している。第２のセパレーター５６の外周部には、軸挿入孔５６ｂ、５６ｃとそれぞれ円弧状に形成された挿通孔５６ｄ、５６ｅが形成されている。軸挿入孔５６ｂと軸挿入孔５６ｃは透過孔５６ａを挟んだ略反対側に位置され、挿通孔５６ｄ、５６ｅはそれぞれ軸挿入孔５６ｂ、５６ｃの近傍に位置されている。
【００７３】
ベース体５１にはシャッター羽根５９、６０とフィルター羽根６１が回動自在に支持される（図９及び図１２参照）。
【００７４】
シャッター羽根５９、６０はそれぞれシート状の材料によって形成され、一端部にそれぞれ軸挿入孔５９ａ、６０ａと一方向に長い作用孔５９ｂ、６０ｂとを有している。
【００７５】
フィルター羽根６１は、図１３及び図１４に示すように、減光用フィルター６２の両面にシート部材６３、６３が積層状に結合されて形成され、該シート部材６３、６３には第１のセパレーター５５の透過孔５５ａより径の大きな円形孔６３ａ、６３ａが形成されている。従って、フィルター羽根６１は円形孔６３ａ、６３ａに対応する位置に減光用フィルター６２が露出され、この露出された部分が光の量を制御して調整する制御部６２ａとして設けられている。減光用フィルター６２としては、ＮＤ（Neutral Density）フィルターが用いられている。
【００７６】
フィルター羽根６１には一端部に軸挿入孔６１ａと一方向に長い作用孔６１ｂとが形成されている。
【００７７】
フィルター羽根６１には孔６１ｃが形成されている（図１４参照）。孔６１ｃはフィルター羽根６１を軽量化するためのものである。従って、フィルター羽根６１には軽量化を図るために、孔６１ｃに代えて、例えば、複数の小孔が形成されていてもよく、また、少なくとも１つ以上の切欠が形成されていてもよい。
【００７８】
第２のセパレーター５６はベース体５１の装着用凹部５３に配置されて取り付けられ、軸挿入孔５６ｂ、５６ｃにそれぞれベース体５１のフィルター用回動中心軸５３ｂ、シャッター用回動中心軸５３ｃが挿入される。シャッター用回動中心軸５３ｄは第２のセパレーター５６の直ぐ外側に位置される。
【００７９】
第２のセパレーター５６の前面側にフィルター羽根６１が支持される（図９参照）。フィルター羽根６１は軸挿入孔６１ａにベース体５１のフィルター用回動中心軸５３ｂが挿入され、該フィルター用回動中心軸５３ｂを支点としてベース体５１に回動自在に支持される。
【００８０】
フィルター羽根６１は上記のように減光用フィルター６２の両面にシート部材６３、６３が積層状に結合されて形成された３枚構成とされており、第１のセパレーター５５と第２のセパレーター５６の間での回動時における減光用フィルター６２の傷付きや損傷の防止を図ることができる。
【００８１】
第１のセパレーター５５がベース体５１に取り付けられた状態において、シャッター羽根５９、６０がベース体５１に回動自在に支持される（図１２参照）。シャッター羽根５９、６０はそれぞれ軸挿入孔５９ａ、６０ａにベース体５１のシャッター用回動中心軸５３ｃ、５３ｄが挿入され、該シャッター用回動中心軸５３ｃ、５３ｄを支点として一部が重ねられた状態でベース体５１に回動自在に支持される。
【００８２】
シャッター羽根５９、６０がベース体５１に支持された状態において、カバー板５４がベース体５１に取り付けられる（図９及び図１０参照）。カバー板５４は被取付用突片５８、５８、５８に外周部５２が係合されることによりベース体５１に取り付けられる。従って、シャッター羽根５９、６０はカバー板５４と第１のセパレーター５５の間で回動可能とされる。
【００８３】
ベース体５１の後面には第１のアクチュエーター６４と第２のアクチュエーター６５が取り付けられる（図９参照）。
【００８４】
第１のアクチュエーター６４は、図１５に示すように、コア６６、該コア６６に保持されたコイル６７、マグネット６８及び駆動アーム６９を有し、該駆動アーム６９はベース部６９ａと該ベース部６９ａから前方へ突出されたアーム部６９ｂとから成る。アーム部６９ｂの先端部には駆動ピン６９ｃが設けられている。
【００８５】
コア６６はマグネット６８を外周方向から挟んで位置する一対の対峙部６６ａ、６６ｂと該一対の対峙部６６ａ、６６ｂの各一端部を連結する連結部６６ｃとを有し、対峙部６６ａ、６６ｂの先端部はマグネット６８の外周面に沿う円弧状に形成されている。
【００８６】
第２のアクチュエーター６５はコア７０、該コア７０に保持されたコイル７１、マグネット７２及び駆動アーム７３を有し、該駆動アーム７３はベース部７３ａと該ベース部７３ａから前方へ突出されたアーム部７３ｂとから成る。アーム部７３ｂの先端部には駆動ピン７３ｃが設けられている。
【００８７】
コア７０はマグネット７２を外周方向から挟んで位置する一対の対峙部７０ａ、７０ｂと該一対の対峙部７０ａ、７０ｂの各一端部を連結する連結部７０ｃとを有し、対峙部７０ａ、７０ｂの先端部はそれぞれマグネット６８の外周面に沿う円弧状に形成されている。
【００８８】
対峙部６６ａ、６６ｂ、７０ａ、７０ｂの円弧状に形成された先端部の各内面は、それぞれマグネット６８、７２の外周面に対向して位置されている。光量調整装置４３にあっては、コイル６７、７１への非通電時にコア６６、７０によってマグネット６８、７２を回転方向における一方の側又は他方の側へ吸引してシャッター羽根５９、６０及びフィルター羽根６１を回動方向における一端又は他端に保持するようにしている。
【００８９】
このマグネット６８、７２とコア６６、７０の対向角、即ち、図１５に示すように、マグネット６８、７２の外周面に対してコア６６、７０が対向する部分に相当するマグネット６８、７２の中心角αは、値が小さいほどコア６６、７０のマグネット６８、７２に対する保持力が大きくなる。従って、マグネット６８、７２の回転に応じて回動されるシャッター羽根５９、６０及びフィルター羽根６１を非通電時に保持する力は、対向角αが小さいほど大きくなる。
【００９０】
第１のアクチュエーター６４と第２のアクチュエーター６５は、それぞれコイル６７、７１に流れる電流に応じてコア６６、７０とマグネット６８、７２との間に回転力が発生し、この回転力によって駆動アーム６９、７３がコイル６７、７１に流れる電流の向きに応じた方向へ回動される。
【００９１】
第１のアクチュエーター６４と第２のアクチュエーター６５は、ベース体５１の周方向に離隔した位置に押さえ板７４によって後方から押さえられて取り付けられる（図７乃至図９参照）。
【００９２】
第１のアクチュエーター６４と第２のアクチュエーター６５がベース体５１に取り付けられた状態において、駆動アーム６９の駆動ピン６９ｃはベース体５１の挿通孔５３ｆ、第２のセパレーター５６の挿通孔５６ｅ、シャッター羽根５９、６０の作用孔５９ｂ、６０ｂ、第１のセパレーター５５の挿通孔５５ｆ及びカバー板５４の挿通孔５７ｈを順に挿通され、また、駆動アーム７３の駆動ピン７３ｃはベース体５１の挿通孔５３ｅ、第２のセパレーター５６の挿通孔５６ｄ、フィルター羽根６１の作用孔６１ｂ、第１のセパレーター５５の挿通孔５５ｅ及びカバー板５４の挿通孔５７ｇを順に挿通される。
【００９３】
第１のアクチュエーター６４の駆動により駆動アーム６９が回動されると、図１６及び図１７に示すように、アーム部６９ｂによって作用孔５９ｂ、６０ｂの開口縁が押圧されシャッター羽根５９、６０がコイル６７に流れた電流の向きに応じて透孔５３ａを開放する開放位置と透孔５３ａを閉塞する閉塞位置との間で回動され、第２のアクチュエーター６５の駆動により駆動アーム７３が回動されると、駆動ピン７３ｃによって作用孔６１ｂの開口縁が押圧されフィルター羽根６１がコイル７１に流れた電流の向きに応じて透孔５３ａを開放する開き位置と透孔５３ａを閉塞する閉じ位置との間で回動される。
【００９４】
シャッター羽根５９、６０の駆動においては、図１８に示すように、駆動アーム６９の回動によりシャッター羽根５９、６０が互いに反対方向へ回動されて透孔５３ａが開閉される。
【００９５】
シャッター羽根５９、６０が、例えば、開放位置にあるときに衝撃力Ｇが生じると、シャッター羽根５９にはモーメントＭ１が生じ、シャッター羽根６０にはモーメントＭ２が生じ、シャッター羽根５９、６０の重量をそれぞれＷ１、Ｗ２とすると、シャッター羽根５９、６０の各重心に作用する力は、それぞれＷ１・Ｇ、Ｗ２・Ｇとなる。このときシャッター羽根５９の回動支点と重心との距離をＬ１とし、シャッター羽根６０の回動支点と重心との距離をＬ２とし、Ｗ１・Ｇ、Ｗ２・ＧのＬ１、Ｌ２に直交する方向における分力をそれぞれＦ１、Ｆ２とすると、Ｍ１＝Ｌ１・Ｆ１、Ｍ２＝Ｌ２・Ｆ２となる。Ｆ１、Ｆ２は大きく異なる方向であるため、衝撃力Ｇが生じたときに駆動ピン６９ｃに作用する力は、シャッター羽根５９、６０の全体の重量に比し小さくなる。従って、シャッター羽根５９、６０に関しては、非通電時におけるコア６６のマグネット６８に対する保持力は小さくてよい。
【００９６】
フィルター羽根６１の駆動においては、駆動アーム７３の回動によりフィルター羽根６１が回動されて透孔５３ａが開閉される。
【００９７】
例えば、図１９に示すように、フィルター羽根６１の回動支点となるフィルター用回動中心軸５３ｂがマグネット７２の回転中心と駆動ピン７３ｃの間に位置されている場合に、フィルター羽根６１が開き位置にあるときに衝撃力Ｇが生じると、フィルター羽根６１にはモーメントＭａ′が生じ、フィルター羽根６１の重量をＷとすると、フィルター羽根６１の重心に作用する力は、Ｗ・Ｇとなる。このときフィルター羽根６１の回動支点と重心との距離をＬ３とし、Ｗ・ＧのＬ３に直交する方向における分力をＦ３′とすると、Ｍａ＝Ｌ３・Ｆ３′となる。
【００９８】
この場合、フィルター用回動中心軸５３ｂと駆動ピン７３ｃの距離をＬ４、Ｌ４に直交する方向に作用する力をＦ４′とすると、Ｍａ′＝Ｌ４・Ｆ４′となる。
【００９９】
駆動ピン７３ｃにはモーメントＭｂ′が生じ、Ｍｂ′＝Ｌ５・Ｆ５′となる。Ｌ５はマグネット７２の回転中心と駆動ピン７３ｃの距離であり、Ｆ５′はＬ５に直交する方向におけるＦ４′の分力である。
【０１００】
このようにフィルター用回動中心軸５３ｂがマグネット７２の回転中心と駆動ピン７３ｃの間に位置されている場合には、図１９に示すように、Ｆ４′とＦ５′の為す角度β′が小さくなるため、フィルター羽根６１に生じるモーメントＭａ′と略同じモーメントが駆動ピン７３ｃにモーメントＭｂ′として生じることになる。従って、非通電時におけるコア７０のマグネット７２に対する保持力を大きくする必要がある。
【０１０１】
一方、撮像装置１においては、フィルター羽根６１の回動支点となるフィルター用回動中心軸５３ｂが駆動ピン７３ｃを挟んでマグネット７２の回転中心の反対側に位置するように構成されている。
【０１０２】
この場合に、例えば、図２０に示すように、フィルター羽根６１が開き位置にあるときに衝撃力Ｇが生じると、フィルター羽根６１にはモーメントＭａが生じ、フィルター羽根６１の重量をＷとすると、フィルター羽根６１の重心に作用する力は、Ｗ・Ｇとなる。このときフィルター羽根６１の回動支点と重心との距離をＬ３とし、Ｗ・ＧのＬ３に直交する方向における分力をＦ３とすると、Ｍａ＝Ｌ３・Ｆ３となる。
【０１０３】
この場合、フィルター用回動中心軸５３ｂと駆動ピン７３ｃの距離をＬ４、Ｌ４に直交する方向に作用する力をＦ４とすると、Ｍａ＝Ｌ４・Ｆ４となる。
【０１０４】
駆動ピン７３ｃにはモーメントＭｂが生じ、Ｍｂ＝Ｌ５・Ｆ５となる。Ｌ５はマグネット７２の回転中心と駆動ピン７３ｃの距離であり、Ｆ５はＬ５に直交する方向におけるＦ４の分力である。
【０１０５】
撮像装置１のように、フィルター用回動中心軸５３ｂが駆動ピン７３ｃを挟んでマグネット７２の回転中心の反対側に位置されている場合には、図２０に示すように、Ｆ４とＦ５の為す角度βが大きくなるため、フィルター羽根６１に生じるモーメントＭａに対して駆動ピン７３ｃにモーメントＭｂが小さくなる。従って、非通電時におけるコア７０のマグネット７２に対する保持力を小さくすることができる。
【０１０６】
具体的には、撮像装置１においては、フィルター羽根６１の回動範囲の全範囲において、フィルター用回動中心軸５３ｂが駆動ピン７３ｃを挟んでマグネット７２の回転中心の反対側に位置されているように構成されている（図２１参照）。即ち、開き位置においては、駆動ピン７３ｃを挟んでマグネット７２の回転中心の反対側の領域が範囲Ａで表され、閉じ位置においては、駆動ピン７３ｃを挟んでマグネット７２の回転中心の反対側の領域が範囲Ｂで表されたときに、範囲Ａと範囲Ｂが交わる領域である範囲Ｃにフィルター用回動中心軸５３ｂが位置されるように構成されている。
【０１０７】
押さえ板７４の後面には配線板７５が取り付けられる（図４参照）。配線板７５はコイル６７、７１に接続され、該コイル６７、７１に電源を供給する機能を有する。
【０１０８】
上記のようにして構成された光量調整装置４３は、ベース体５１がベース枠４４に係合されて中間可動ユニット４２に取り付けられ、該中間可動ユニット４２と光量調整装置４３によって第２の可動ユニット４１が構成される。
【０１０９】
第１の可動ユニット１９は移動枠７６にレンズ群７７が保持されて成る（図４及び図６参照）。移動枠７６の中心部には、レンズホルダー７８を介してレンズ群７７が取り付けられる。
【０１１０】
第１の可動ユニット１９は、移動枠７６が直進ガイド３７のガイド突部３９、３９、３９に摺動自在に支持されると共にカム筒１８に摺動自在に支持される。従って、第１の可動ユニット１９はカム筒１８の回転により直進ガイド３７に案内されて前後方向（光軸方向）へ移動される。
【０１１１】
第１の可動ユニット１９の前面側にはレンズバリヤー７９が取り付けられる（図４及び図６参照）。
【０１１２】
第１の可動ユニット１９にレンズバリヤー７９が取り付けられた状態において、移動枠７６とレンズバリヤー７９の外面側に飾りリング８０が取り付けられる。
【０１１３】
以上に記載した通り、撮像装置１にあっては、フィルター羽根６１に孔６１ｃ又は切欠を形成してフィルター羽根６１を軽量化している。従って、起動時における消費電力の低減及びシャッタースピードの高速化を図るために非通電時の保持力の低減を必要とするシャッター羽根５９、６０と、比較的重量が大きく非通電時における保持状態の安定化を図るために保持力の増大を必要とするフィルター羽根６１に関して、フィルター羽根６１の軽量化により非通電時におけるフィルター羽根６１に対する保持力を低減することができ、第１のアクチュエーター６４と第２のアクチュエーター６５の部品の共通化を図ることができ、その分、製造コストの低減及び組立性の向上を図ることができる。
【０１１４】
また、撮像装置１にあっては、フィルター羽根６１の回動範囲の全範囲において、フィルター用回動中心軸５３ｂが駆動ピン７３ｃを挟んでマグネット７２の回転中心の反対側に位置されるように構成されているため、非通電時におけるフィルター羽根６１に対する保持力を低減することができるため、第１のアクチュエーター６４と第２のアクチュエーター６５の部品の共通化を図ることができ、その分、製造コストの低減及び組立性の向上を図ることができる。
【０１１５】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１１６】
【図１】図２乃至図２１と共に本発明の最良の形態を示すものであり、本図は、レンズ鏡筒が装置本体に収納されている状態で示す撮像装置の斜視図である。
【図２】レンズ鏡筒が装置本体から突出されている状態で示す撮像装置の斜視図である。
【図３】撮像装置を図１及び図２とは反対側から見た状態で示す斜視図である。
【図４】レンズ鏡筒の分解斜視図である。
【図５】レンズ鏡筒の拡大斜視図である。
【図６】沈胴位置にある状態を示すレンズ鏡筒の拡大断面図である。
【図７】中間可動ユニットと光量調整装置を分離して示す拡大斜視図である。
【図８】第２の可動ユニットの拡大斜視図である。
【図９】光量調整装置の分解斜視図である。
【図１０】光量調整装置の拡大斜視図である。
【図１１】ベース体の拡大斜視図である。
【図１２】カバー板とシャッター羽根を示す拡大分解斜視図である。
【図１３】フィルター羽根の拡大分解斜視図である。
【図１４】フィルター羽根の拡大斜視図である。
【図１５】アクチュエーターを示す拡大正面図である。
【図１６】図１７と共にシャッター羽根及びフィルター羽根の動作を示すものであり、本図は、シャッター羽根が開放位置にあり、フィルター羽根が開き位置にある状態を示す拡大正面図である。
【図１７】シャッター羽根が閉塞位置にあり、フィルター羽根が閉じ位置にある状態を示す拡大正面図である。
【図１８】シャッター羽根の駆動において作用する力を示す概念図である。
【図１９】フィルター羽根の駆動において作用する力を、フィルター用回動中心軸がマグネットの回転中心と駆動ピンの間に位置されている場合について示す概念図である。
【図２０】フィルター羽根の駆動において作用する力を、フィルター用回動中心軸が駆動ピンを挟んでマグネットの回転中心の反対側に位置されている場合について示す概念図である。
【図２１】フィルター用回動中心軸の存在位置を示す概念図である。
【符号の説明】
【０１１７】
１…撮像装置、２…装置本体、３…レンズ鏡筒、４３…光量調整装置、５９…シャッター羽根、６０…シャッター羽根、６１…フィルター羽根、６４…第１のアクチュエーター、６５…第２のアクチュエーター、６６…コア、６７…コイル、６８…マグネット、６９…駆動アーム、６９ｃ…駆動ピン、７０…コア、７０ｃ…連結部、７１…コイル、７２…マグネット、７３…駆動アーム、７３ｃ…駆動ピン
【図１】
2008176062.tif 000003
【図２】
2008176062.tif 000004
【図３】
2008176062.tif 000005
【図４】
2008176062.tif 000006
【図５】
2008176062.tif 000007
【図６】
2008176062.tif 000008
【図７】
2008176062.tif 000009
【図８】
2008176062.tif 000010
【図９】
2008176062.tif 000011
【図１０】
2008176062.tif 000012
【図１１】
2008176062.tif 000013
【図１２】
2008176062.tif 000014
【図１３】
2008176062.tif 000015
【図１４】
2008176062.tif 000016
【図１５】
2008176062.tif 000017
【図１６】
2008176062.tif 000018
【図１７】
2008176062.tif 000019
【図１８】
2008176062.tif 000020
【図１９】
2008176062.tif 000021
【図２０】
2008176062.tif 000022
【図２１】
2008176062.tif 000023